(57)【要約】【課題】文書データのプッシュ型配信の手間を削減する。【解決手段】図、表を含む画像及び文字列が混在した文書データを電子文書として保管する際、前記文書データ中の画像を含む画像領域と文字列を含む文字領域とをそれぞれ部分画像データとして自動抽出し、自動抽出された前記部分画像データを前記文書データと関連付けて格納する画像処理装置において、前記文書データと前記部分画像データとの構成情報に基づいてプッシュ型配信情報を作成する作成手段と、該作成手段によって作成されたプッシュ型配信情報を配信する配信手段と、を設けた。【選択図】図４
2010124455.tif 000002
【特許請求の範囲】
【請求項１】
図、表を含む画像及び文字列が混在した文書データを電子文書として保管する際、前記
文書データ中の画像を含む画像領域と文字列を含む文字領域とをそれぞれ部分画像データとして自動抽出し、自動抽出された前記部分画像データを前記文書データと関連付けて格納する画像処理装置において、
前記文書データと前記部分画像データとの構成情報に基づいてプッシュ型配信情報を作成する作成手段と、
該作成手段によって作成されたプッシュ型配信情報を配信する配信手段と、を設けたことを特徴とする画像処理装置。
【請求項２】
前記文書データは、複数のページ毎の文書データであるページ毎文書データを含み、
前記作成手段は、
前記部分画像データ又は前記ページ毎文書データが更新された場合に、前記プッシュ型配信情報に前記更新を示す情報を付加した更新プッシュ型配信情報を作成することを特徴とする請求項１記載の画像処理装置。
【請求項３】
前記更新を示す情報は、
前記プッシュ型配信情報のタイトルに付加される前記部分画像データ又は前記ページ毎文書データが更新されたことを示す用語と、前記プッシュ型配信情報の更新内容を示す情報と、を含むことを特徴とする請求項２記載の画像処理装置。
【請求項４】
前記作成手段は、
前記ページ毎文書データが削除された場合に、前記プッシュ型配信情報に前記削除を示す情報を付加した削除プッシュ型配信情報を作成することを特徴とする請求項２又は３に記載の画像処理装置。
【請求項５】
前記削除を示す情報は、
前記プッシュ型配信情報のタイトルに付加される前記ページ毎文書データが削除されたことを示す用語と、削除された前記ページ毎文書データに含まれる部分画像データの保管場所と、を含むことを特徴とする請求項４記載の画像処理装置。
【請求項６】
前記作成手段は、
前記部分画像データが削除された場合に、前記プッシュ型配信情報に前記削除を示す情報を付加した削除プッシュ型配信情報を作成することを特徴とする請求項１ないし４の何れか一項に記載の画像処理装置。
【請求項７】
前記削除を示す情報は、
前記プッシュ型配信情報のタイトルに付加される前記部分画像データが削除されたことを示す用語と、削除された前記部分画像データの領域を示す座標情報と、を含むことを特徴とする請求項６記載の画像処理装置。
【請求項８】
前記配信手段による前記プッシュ型配信情報の配信を制御する制御手段を有し、
前記制御手段は、
前記プッシュ型配信情報を部分画像データ単位で配信するチャンネル、前記プッシュ型配信情報を前記ページ毎文書データ単位で配信するチャンネル、前記プッシュ型配信情報を前記構成情報の項目単位で配信するチャンネルのうち、一つ以上のチャンネルを作成することを特徴とする請求項１ないし７の何れか一項に記載の画像処理装置。
【請求項９】
前記プッシュ型配信情報の配信の可否を決定するためるキーワードが保管されたキーワード保管領域を有し、
前記制御手段は、
前記プッシュ型配信情報に含まれるテキストに前記キーワード保管領域に保管されたキーワードが含まれるか否かに基づき、前記プッシュ型配信情報を配信するか否かを判断することを特徴とする請求項８の何れか一項に記載の画像処理装置。
【請求項１０】
前記制御手段は、
前記プッシュ型配信情報に含まれる画像のセキュリティ情報に基づき、前記プッシュ型配信情報を配信するか否かを判断することを特徴とする請求項８又は９の何れか一項に記載の画像処理装置。
【請求項１１】
前記制御手段は、
複数の前記部分画像データが含まれる前記ページ毎文書データにおいて、前記複数の部分画像データを一の部分画像データとする設定がなされていた場合、
前記複数の部分画像データを結合させて一の部分画像データとすることを特徴とする請求項８ないし１０の何れか一項に記載の画像処理装置。
【請求項１２】
前記作成手段は、
前記部分画像データにテキストデータが含まれない場合に、前記部分画像データ中の画像の周辺のテキストを抽出し、前記テキストを前記プッシュ型配信情報のタイトルとすることを特徴とする請求項１ないし１１の何れか一項に記載の画像処理装置。
【請求項１３】
前記作成手段は、
前記部分画像データにテキストが含まれない場合に、前記部分画像データの前記構成情報の所定の項目の情報を前記プッシュ型配信情報のタイトルとすることを特徴とする請求項１ないし１１の何れか一項に記載の画像処理装置。
【請求項１４】
前記作成手段は、
前記文書データに、複数の前記文字列を含む文字領域の前記部分画像データが含まれる場合、
複数の前記部分画像データに含まれるテキストデータにおいて最も使用頻度の高いキーワードを前記プッシュ型配信情報のタイトルとすることを特徴とする請求項１ないし１３の何れか一項に記載の画像処理装置。
【発明の詳細な説明】
【技術分野】
【０００１】
この発明は、ファクシミリ装置、プリンタ、スキャナ、複写機、複合機、ＷＥＢサーバ
を含む画像処理装置に関する。
【背景技術】
【０００２】
従来、スキャンした文書（電子文書）をページや部分画像に分割し、ページ単位又は部分画像単位で表示、検索、他のアプリケーションへの貼り付けができるようにした画像処理装置（例えば、特許文献１参照）があった。
【０００３】
また、部分画像の有するメタ属性を部分画像が含まれるページや電子文書に反映することができる画像処理装置や、スキャナで読み込んだドキュメントをプッシュ型サーバで配信する画像処理装置も提案されている。
【０００４】
さらに、イメージ情報の格納先に関する情報を所定の送信先にメールで送信する画像処理装置（例えば、特許文献２参照）や、データと設定値とを階層的に保持していることを活かしてデータの階層構造を編集することができる画像処理装置（例えば、特許文献３参照）が知られている。
【発明の概要】
【発明が解決しようとする課題】
【０００５】
上述した従来の画像処理装置では、文書データが階層構造を持ち文書データの編集を行うことができる。しかしながら、編集後の文書データをプッシュ型サーバで配信する際には、配信を行う度に編集後の文書データに対して配信情報を設定する必要があるという問題があった。
【０００６】
この発明は上記の点に鑑みてなされたものであり、文書データのプッシュ型配信の手間
を削減することを目的とする。
【課題を解決するための手段】
【０００７】
この発明は上記の目的を達成するため、図、表を含む画像及び文字列が混在した文書データを電子文書として保管する際、前記文書データ中の画像を含む画像領域と文字列を含む文字領域とをそれぞれ部分画像データとして自動抽出し、自動抽出された前記部分画像データを前記文書データと関連付けて格納する画像処理装置において、前記文書データと前記部分画像データとの構成情報に基づいてプッシュ型配信情報を作成する作成手段と、
該作成手段によって作成されたプッシュ型配信情報を配信する配信手段と、を設けた。
【０００８】
また本発明の画像処理装置において、前記文書データは、複数のページ毎の文書データであるページ毎文書データを含み、前記作成手段は、前記部分画像データ又は前記ページ毎文書データが更新された場合に、前記プッシュ型配信情報に前記更新を示す情報を付加した更新プッシュ型配信情報を作成する構成とした。
【０００９】
また本発明の画像処理装置において、前記更新を示す情報は、前記プッシュ型配信情報のタイトルに付加される前記部分画像データ又は前記ページ毎文書データが更新されたことを示す用語と、前記プッシュ型配信情報の更新内容を示す情報と、を含む構成とした。
【００１０】
また本発明の画像処理装置において、前記作成手段は、前記ページ毎文書データが削除された場合に、前記プッシュ型配信情報に前記削除を示す情報を付加した削除プッシュ型配信情報を作成する構成とした。
【００１１】
また本発明の画像処理装置において、前記削除を示す情報は、前記プッシュ型配信情報のタイトルに付加される前記ページ毎文書データが削除されたことを示す用語と、削除された前記ページ毎文書データに含まれる部分画像データの保管場所と、を含む構成とした。
【００１２】
また本発明の画像処理装置において、前記作成手段は、前記部分画像データが削除された場合に、前記プッシュ型配信情報に前記削除を示す情報を付加した削除プッシュ型配信情報を作成する構成とした。
【００１３】
また本発明の画像処理装置において、前記削除を示す情報は、前記プッシュ型配信情報のタイトルに付加される前記部分画像データが削除されたことを示す用語と、削除された前記部分画像データの領域を示す座標情報と、を含む構成した。
【００１４】
また本発明の画像処理装置は、前記配信手段による前記プッシュ型配信情報の配信を制御する制御手段を有し、前記制御手段は、前記プッシュ型配信情報を部分画像データ単位で配信するチャンネル、前記プッシュ型配信情報を前記ページ毎文書データ単位で配信するチャンネル、前記プッシュ型配信情報を前記構成情報の項目単位で配信するチャンネルのうち、一つ以上のチャンネルを作成する構成とした。
【００１５】
また本発明の画像処理装置は、前記プッシュ型配信情報の配信の可否を決定するためるキーワードが保管されたキーワード保管領域を有し、前記制御手段は、前記プッシュ型配信情報に含まれるテキストに前記キーワード保管領域に保管されたキーワードが含まれるか否かに基づき、前記プッシュ型配信情報を配信するか否かを判断する構成とした。
【００１６】
また本発明の画像処理装置において、前記制御手段は、前記プッシュ型配信情報に含まれる画像のセキュリティ情報に基づき、前記プッシュ型配信情報を配信するか否かを判断する構成とした。
【００１７】
また本発明の画像処理装置において、前記制御手段は、複数の前記部分画像データが含まれる前記ページ毎文書データにおいて、前記複数の部分画像データを一の部分画像データとする設定がなされていた場合、前記複数の部分画像データを結合させて一の部分画像データとする構成とした。
【００１８】
また本発明の画像処理装置において、前記作成手段は、前記部分画像データにテキストデータが含まれない場合に、前記部分画像データ中の画像の周辺のテキストを抽出し、前記テキストを前記プッシュ型配信情報のタイトルとする構成とした。
【００１９】
また本発明の画像処理装置において、前記作成手段は、前記部分画像データにテキストが含まれない場合に、前記部分画像データの前記構成情報の所定の項目の情報を前記プッシュ型配信情報のタイトルとする構成とした。
【００２０】
また本発明の画像処理装置において、前記作成手段は、前記文書データに、複数の前記文字列を含む文字領域の前記部分画像データが含まれる場合、複数の前記部分画像データに含まれるテキストデータにおいて最も使用頻度の高いキーワードを前記プッシュ型配信情報のタイトルとする構成とした。
【発明の効果】
【００２１】
この発明による画像処理装置は、文書データのプッシュ型配信の手間を削減することが
できる。
【図面の簡単な説明】
【００２２】
【図１】実施例１の画像処理システムのシステム構成の一例を示す図である。
【図２】画像処理装置のハードウェア構成図である。
【図３】情報処理装置のハードウェア構成図である。
【図４】画像処理システムを構成する各装置の機能構成を説明する図である。
【図５】画像処理装置の動作を示すシーケンス図である。
【図６】格納部に格納された文書データとメタデータとを説明する図である。
【図７】文書データのページ毎のデータとページ毎のメタデータとを説明する図である。
【図８】部分画像データと部分画像メタデータとを説明する図である。
【図９】登録データを示す第一の図である。
【図１０】登録データを示す第二の図である。
【図１１】ＲＳＳデータ作成部におけるテキストデータの抽出処理を示すフローチャート図である。
【図１２】ＲＳＳデータ作成部における画像データの保管場所の設定処理を説明するフローチャートである。
【図１３】ＲＳＳデータ作成部におけるＵＲＬの抽出処理を説明するフローチャートである。
【図１４】ＲＳＳデータ作成部におけるイーメールアドレスを設定する処理を説明するフローチャートである。
【図１５】ＲＳＳデータの一例を説明する図である。
【図１６】新たに追加されるＲＳＳデータの例を示す図である。
【図１７】画像処理システムにおけるＲＳＳデータの配信処理を説明するシーケンス図である。
【図１８】テキストデータと表及び画像等の部分画像データデータとからなるＲＳＳデータを読み取って認識したときの一例を示す図である。
【図１９】テキストデータのＲＳＳデータを読み取って認識したときの一例を示す図である。
【図２０】表及び画像等の部分画像データのＲＳＳデータを読み取って認識したときの一例を示す図である。
【図２１】部分画像データの更新処理を説明するシーケンス図である。
【図２２】図１５に示したＲＳＳデータの更新部分のＲＳＳデータを示す図である。
【図２３】文書データの削除処理を説明するフローチャートである。
【図２４】図２３の処理により作成された削除ＲＳＳデータの例を示す図である。
【図２５】Ｉｎｄｅｘページの例を示す図である。
【図２６】部分画像データの削除処理を示すフローチャート図である。
【図２７】図２６の処理により作成された削除ＲＳＳデータの例を示す図である。
【図２８】画像処理装置におけるセキュリティ制御の処理を示すシーケンス図である。
【図２９】ＲＳＳデータ制御部によるＲＳＳデータのセキュリティ制御処理を示すフローチャートである。
【図３０】図２９で説明した処理でＲＳＳデータ制御部により削除されたデータの例を示す図である。
【図３１】図２９で説明した処理により作成されたＲＳＳデータの例を示す図である。
【図３２】画像処理装置の設定画面の第一の例を示す図である。
【図３３】画像処理装置の設定画面の第二の例を示す図である。
【図３４】ＲＳＳデータの配信設定のチャンネルが追加された設定画面の一例を示す図である。
【図３５】＜スキャナ＞−＜ＲＳＳチャンネル：オリジナル＞の設定画面の一例を示す図である。
【図３６】＜ＲＳＳ配信設定  基本設定＞に設定項目を追加する処理を説明するフローチャートである。
【図３７】実施例２において文書入力部により入力された文書データの一例を示す図である。
【図３８】部分画像データ３７１の部分画像メタデータを示す図である。
【図３９】文書データ３７０に基づき作成されたＲＳＳデータに含まれる＜ｉｔｅｍ＞要素の構成の一例を示す図である。
【図４０】実施例３において文書入力部により入力された文書データの一例を示す図である。
【図４１】部分画像データ３７４の部分画像メタデータを示す図である。
【図４２】文書データ３７３に基づき作成されたＲＳＳデータに含まれる＜ｉｔｅｍ＞要素の構成の一例を示す図である。
【図４３】実施例４において文書入力部により入力された文書データの一例を示す図である。
【図４４】ＲＳＳデータ作成部の有するテーブルの例を示す図である。
【図４５】部分画像データの結合の設定を行う設定画面の一例を示す図である。
【図４６】部分画像データの機密性の高さを説明する図である。
【図４７】ＲＳＳデータ配信設定においてセキュリティのチャンネルが追加された設定画面の一例を示す図である。
【発明を実施するための形態】
【００２３】
以下、この発明を実施するための最良の形態を図面に基づいて具体的に説明する。
〔実施例１〕
図１は、画像処理システムのシステム構成の一例を示す図である。本実施例の画像処理システム１００は、画像処理装置２００と情報処理装置３００とがネットワーク４００を介してデータ通信可能に接続されて構成されている。
【００２４】
本実施例の画像処理装置２００では、ＲＳＳ(Rich Site Summary/Resource Description Framework Site Summary)形式のデータ（以下、ＲＳＳデータ）を作成し、情報処理装置３００に対してＲＳＳデータのプッシュ型配信を行う。プッシュ型配信とは、ユーザからの要求に因らず、サーバが情報を自動的に配信することを示す。本実施例では、ユーザは情報処理装置３００に対応し、サーバは画像処理装置２００に対応する。また本実施例のＲＳＳデータは、プッシュ型配信により配信されるプッシュ型配信情報である。
【００２５】
図２は、画像処理装置のハードウェア構成図である。画像処理装置２００は、それぞれバスＢで相互に接続されているスキャン装置２１、プロッタ装置２２、ドライブ装置２３、補助記憶装置２４、メモリ装置２５、演算処理装置２６、インターフェース装置２７、操作パネル２８で構成される。
【００２６】
スキャン装置２１はスキャナ、スキャナエンジン、エンジン制御部等で構成され、原稿をスキャンして文書データとするために用いられる。プロッタ装置２２はプロッタ、プロッタエンジン、エンジン制御部等で構成され、文書データを印刷するために用いられる。操作パネル２８は、表示機能を有するタッチパネル等で実現され、画像処理装置２００を操作するための操作画面が表示される。また操作パネル２８は、画像処理装置２００による処理の進捗の案内画面等が表示される。
【００２７】
インターフェース装置２７は、モデム、ＬＡＮカードなどで構成されており、ネットワーク４００に接続する為に用いられる。
【００２８】
本発明の画像処理プログラムは、画像処理装置２００を制御する各種プログラムの少なくとも一部である。画像処理プログラムは例えば記録媒体２９の配布やネットワーク４００からのダウンロードなどによって提供される。画像処理プログラムを記録した記録媒体２９は、ＣＤ−ＲＯＭ、フレキシブルディスク、光磁気ディスク等の様に情報を光学的、電気的或いは磁気的に記録する記録媒体、ＲＯＭ、フラッシュメモリ等の様に情報を電気的に記録する半導体メモリ等、様々なタイプの記録媒体を用いることができる。
【００２９】
また、画像処理プログラムを記録した記録媒体２９がドライブ装置２３にセットされると、画像処理プログラムは記録媒体２９からドライブ装置２３を介して補助記憶装置２４にインストールされる。ネットワーク４００からダウンロードされた画像処理プログラムは、インターフェース装置２７を介して補助記憶装置２４にインストールされる。
【００３０】
補助記憶装置２４は、インストールされた画像処理プログラムを格納すると共に、必要なファイル、データ等を格納する。メモリ装置２５は、コンピュータの起動時に補助記憶装置２４から画像処理プログラムを読み出して格納する。そして、演算処理装置２６はメモリ装置２５に格納された画像処理プログラムに従って、後述するような各種処理を実現している。
【００３１】
図３は、情報処理装置のハードウェア構成図である。情報処理装置３００は、例えば一般のコンピュータ等である。情報処理装置３００は、それぞれバスＢで相互に接続されている入力装置３１、出力装置３２、ドライブ装置３３、補助記憶装置３４、メモリ装置３５、演算処理装置３６およびインターフェース装置３７で構成される。
【００３２】
入力装置３１はキーボードやマウスなどで構成され、各種信号を入力するために用いられる。出力装置３２はディスプレイ装置などで構成され、各種ウインドウやデータ等を表示するために用いられる。インターフェース装置３７は、モデム，ＬＡＮカードなどで構成されており、ネットワーク４００に接続する為に用いられる。
【００３３】
補助記憶装置３４には、情報処理装置３００を制御する各種プログラムの少なくとも一部である情報処理プログラムが格納されている。情報処理プログラムは例えば記録媒体３８の配布やネットワーク４００からのダウンロードなどによって提供される。情報処理プログラムを記録した記録媒体３８は、ＣＤ−ＲＯＭ、フレキシブルディスク、光磁気ディスク等の様に情報を光学的、電気的或いは磁気的に記録する記録媒体、ＲＯＭ、フラッシュメモリ等の様に情報を電気的に記録する半導体メモリ等、様々なタイプの記録媒体を用いることができる。
【００３４】
また、情報処理プログラムを記録した記録媒体３８がドライブ装置３３にセットされると、情報処理プログラムは記録媒体３８からドライブ装置３３を介して補助記憶装置３４にインストールされる。ネットワーク４００からダウンロードされた情報処理プログラムは、インターフェース装置３７を介して補助記憶装置３４にインストールされる。
【００３５】
補助記憶装置３４は、インストールされた情報処理プログラムを格納すると共に、必要なファイル、データ等を格納する。メモリ装置３５は、コンピュータの起動時に補助記憶装置３４から情報処理プログラムを読み出して格納する。そして、演算処理装置３６はメモリ装置３５に格納された情報処理プログラムに従って、後述するような各種処理を実現している。
【００３６】
図４は、画像処理システムを構成する各装置の機能構成を説明する図である。本実施例の画像処理装置２００は、登録処理部２１０、検索表示部２２０、ＲＳＳデータ処理部２３０、Ｈｔｔｐｄ（HyperText Transfer Protocol Daemon）２４０、アドレス帳記憶部２５０を有する。情報処理装置３００は、ＲＳＳリーダ３１０を有する。
【００３７】
画像処理装置２００の登録処理部２１０は、文書入力部２１１、領域抽出部２１２、テキスト抽出部２１３、登録部２１４、格納部２１５からなる。
【００３８】
文書入力部２１１は、画像処理装置２００に文書データを入力する手段であり、例えば文書の画像を読み取るスキャン装置２１である。また文書入力部２１１は、デジタルカメラで撮像された画像データや通信路を経由してきた画像データを画像処理装置２００へ入力しても良い。
【００３９】
領域抽出部２１２は、文書入力部２１１により入力された文書データから、画像を含む画像領域と文字列（テキスト）を含む文字領域とをそれぞれ部分画像データとして自動抽出する。尚本実施例の文書データは、例えば図、表を含む画像及び文字列が混在するものである。
【００４０】
テキスト抽出部２１３は、文書入力部２１１により入力された文書データの文書構造を解析し、領域抽出部２１２によって抽出した文字領域の部分画像データに含まれるテキストをテキストデータとして抽出する。また本実施例のテキスト抽出部２１３は、ページ情報を作成する。本実施例のページ情報は、文書データ、部分画像データ、テキストデータが格納された場所を示す情報であり、例えば上記各データが格納される画像処理装置２００を特定する情報や、上記各データが格納される格納部２１５を特定する情報等が含まれる。
【００４１】
登録部２１４は、文書データと、画像領域及び文字領域の部分画像データと、テキストデータと、ページ情報とを関連付けて格納部２１５に格納する。また登録部２１４は、文書データのメタデータを設定するメタデータ設定部２１６を有する。文書データのメタデータとは、文書データに付随したデータであり、文書データの構造を示す構造情報に相当する。
【００４２】
登録部２１４は、メタデータ設定部２１６により、格納部２１５へ格納する文書データのメタデータを設定して格納部２１５へ登録する。以下の本実施例の説明では、登録部２１４により格納部２１５へ格納されるデータを登録データと呼ぶ。また登録部２１４は、格納部２１５への登録データの登録が完了すると、ＲＳＳデータ処理部２３０へ新たな登録データが格納されたことを通知する。
【００４３】
格納部２１５は、登録部２１４により登録された登録データを格納して記憶し、検索表示部２２０又はＲＳＳデータ処理部２３０からの検索依頼に基づいて格納されている登録データを出力する。本実施例の格納部２１５は、例えば画像処理装置２００の補助記憶装置２４内に設けられていても良い。また格納部２１５は、ネットワーク４００を介して接続される文書登録サーバの記憶装置であってもよい。
【００４４】
検索表示部２２０は、要求制御部２２１、検索部２２２、表示情報生成部２２３を有する。検索表示部２２０には、操作パネル２８の操作等により各種の操作情報が入力される。各種の操作情報には、格納部２１５に格納された登録データの検索要求も含まれる。
【００４５】
また検索表示部２２０は、操作パネル２８に格納部２１５から検索されたデータを表示させ、操作パネル２８をディスプレイとして機能させる。格納部２１５から検索されたデータは、登録データに含まれるデータである。
【００４６】
要求制御部２２１は、操作パネル２８からの操作情報に基づいて、検索部２２３への検索要求を含む各種の要求を送る。また要求制御部２２１は、検索部２２２から送られるデータを表示情報生成部２２３へ送る。
【００４７】
検索部２２２は、格納部２１５において要求制御部２２１からの要求に基づくデータを検索し、検索結果であるデータを要求制御部２２１へ送る。
【００４８】
表示情報生成部２２３は、要求制御部２２１から送られたデータを操作パネル２８に表示させるための表示情報を生成する。
【００４９】
ＲＳＳデータ処理部２３０は、ＲＳＳデータ作成部２３１、ＲＳＳデータ保管領域部２３２、ＲＳＳデータ制御部２３３、セキュリティキーワード保管領域制御部２３４を有する。
【００５０】
ＲＳＳデータ作成部２３１は、格納部２１５に格納された登録データを参照し、ＲＳＳデータを作成する。ＲＳＳデータは、後述する配信処理により、プッシュ型配信により情報処理装置３００へ配信される。また本実施例のＲＳＳデータ作成部２３１は、更新処理部２３５、削除処理部２３６を有する。更新処理部２３５は、登録データの更新を知らせるＲＳＳデータを作成する。削除処理部２３６は、登録データが削除されたことを知らせるＲＳＳデータを作成する。
【００５１】
ＲＳＳデータ保管領域部２３２は、ＲＳＳデータ作成部２３１によって作成されたＲＳＳデータを保管する。
【００５２】
ＲＳＳデータ制御部２３３は、Ｈｔｔｐｄ２４０との間で行われるＲＳＳデータのプッシュ型配信の制御を司る。セキュリティキーワード保管領域制御部２３４は、セキュリティキーワードの一覧を記憶して保管する。
【００５３】
本実施例のＨｔｔｐｄ２４０は、画像処理装置２００と情報処理装置３００の有するＲＳＳリーダ３１０との間の通信を制御する。アドレス帳記憶部２５０は、アドレス情報を記憶する。アドレス情報とは、画像処理システム１００の管理者や利用者等により予め登録された情報である。
【００５４】
本実施例の情報処理装置３００は、ＲＳＳリーダ３１０を有する。ＲＳＳリーダ３１０は、ネットワーク４００を介してＲＳＳデータを読むための処理を実行する。ＲＳＳリーダ３１０は、画像処理装置２００に定期的にアクセスし、画像処理装置２００で作成されたＲＳＳデータを一定時間毎に自動的にダウンロードする機能を有する。またＲＳＳリーダ３１０は、ＲＳＳデータに更新があると記事へのリンクを表示してユーザに知らせることかできる。
【００５５】
尚本実施例の画像処理システム１００は、画像処理装置２００と情報処理装置３００とから構成されるものとしたが、これに限定されない、画像処理システム１００は、例えば登録処理部２１０、検索表示部２２０、ＲＳＳデータ処理部２３０、Ｈｔｔｐｄ２４０、アドレス帳記憶部２５０から構成されるシステムであっても良い。その場合、ＲＳＳリーダ３１０は、画像処理システム１００の外部に存在する装置となる。また画像処理装置２００と接続される情報処理装置は複数であっても良い。
【００５６】
次に、図５を参照して本実施例の画像処理装置２００の動作を説明する。図５は、画像処理装置の動作を示すシーケンス図である。
【００５７】
本実施例の画像処理装置２００において、文書入力部２１１が文書データを入力する（ステップＳ５０１）。文書データが入力されると、文書入力部２１１は、領域抽出部２１２に文書データのデータ抽出を要求する（ステップＳ５０２）。領域抽出部２１２は、データ抽出の要求を受けて、文書データから画像領域及び文字領域の部分画像データを抽出する（ステップＳ５０３）。次に領域抽出部２１２は、テキスト抽出部２１３に文書データのテキスト抽出を要求する（ステップＳ５０４）。
【００５８】
テキスト抽出部２１３は、文字領域の部分画像データからテキストデータを抽出すると共にページ情報を作成する（ステップＳ５０５）。次にテキスト抽出部２１３は、登録部２１４にデータの登録を要求する（ステップＳ５０６）。登録部２１４は、登録の要求を受けると、文書データ、部分画像データ、テキストデータ、メタデータ、ページ情報を対応付け、登録データとして格納部２１５に登録する（ステップＳ５０７）。また登録部２１４は、ＲＳＳデータ作成部２３１へ新たな登録データが格納されることを示すデータ追加情報を通知する（ステップＳ５０８）。
【００５９】
次にＲＳＳデータ作成部２３１は、格納部２１５に問い合わせてＲＳＳデータを作成
するための登録データ取得を要求する（ステップＳ５０９）。格納部２１５は、データ取得の要求を受けると、この要求に応答してＲＳＳデータ作成部２３１にＲＳＳデータを作成するための登録データを送る（ステップＳ５１０）。
【００６０】
ＲＳＳデータ作成部２３１は、格納部２１５から送られた登録データを受け取るとＲＳＳデータを作成する（ステップＳ５１１）。そしてＲＳＳデータ作成部２３１は、作成したＲＳＳデータをＲＳＳデータ保管領域部２３２に登録する（ステップＳ５１２）。尚ＲＳＳデータ作成部２３１の処理の詳細は後述する。
【００６１】
次に、図６乃至図８を参照して、登録データについて説明する。図６乃至図８に示すデータは、図５のステップＳ５０１からステップＳ５０７までの処理によって格納部２１５に格納されるデータであり、登録データを構成するデータである。本実施例の登録データは、例えば図６に示すデータＡ、図７に示すデータＢ、図８に示すデータＣが対応付けられたデータである。
【００６２】
図６は、格納部に格納された文書データとメタデータとを説明する図である。本実施例の格納部２１５には、文書入力部２１１により入力された文書データ４０と、文書データ４０のメタデータ４１とが対応付けられたデータＡとして格納されている。
【００６３】
本実施例の文書データ４０は、ステップＳ５０１において文書入力部２１１により入力されたデータである。本実施例の文書データ４０は、図６に示すように、例えば複数ページの原稿の文書データが含まれても良い。本実施例の文書データ４０は、例えば１回のスキャン操作指示によりスキャン装置２１が読み取った原稿のデータを１つの文書データ４０としても良い。例えば１回のスキャン操作指示で４枚の原稿がスキャンされた場合には、４ページ分のデータが１つの文書データ４０となる。
【００６４】
メタデータ４１は、文書データ４０に付随したデータである。メタデータ４１は、例えば文書データ４０の文書ＩＤや文書データ４０の保管場所を示す情報（以下、保管場所情報）、文書データ４０のページ数等が含まれる。メタデータ４１は、例えばステップＳ５０７において登録部２１４が文書データ４０を格納部２１５へ格納する際に、メタデータ設定部２１６により設定されても良い。
【００６５】
尚図６に示すメタデータ４１の項目は、文書ＩＤ、文書データ４０の保管場所、文書データ４０のページ数となっているが、これに限定されない。メタデータ４１には、例えば文書データのタイトル、文書データの作成者、文書データが入力された日時等が含まれていても良い。
【００６６】
図７は、文書データのページ毎のデータとページ毎のメタデータとを説明する図である。
【００６７】
本実施例の格納部２１５には、データＡと対応付けられたデータＢが格納されている。データＢは、文書データ４０に含まれるページ毎のページ毎文書データ４２と、ページ毎のページ毎メタデータ４３とにより構成される。
【００６８】
本実施例では、文書データ４０は４ページ分の文書データが含まれる。よってページ文書データ４２は、１ページ目の文書データ４２１、２ページ目の文書データ４２２、３ページ目の文書データ４２３、４ページ目の文書データ４２４を有する。またページ毎メタデータ４３は、文書データ４２１のメタデータ４３１、文書データ４２２のメタデータ４３２、文書データ４２３のメタデータ４３３、文書データ４２４のメタデータ４３４を有する。
【００６９】
本実施例のデータＢは、図５のステップＳ５０３における領域抽出部２１２の処理により生成される。よってデータＢに含まれるページ毎文書データ４２は、画像領域及び文字領域の部分画像データが特定されている。またページ毎メタデータ４３には、画像領域及び文字領域の座標を示す座標情報、部分画像データに関する部分画像情報が含まれる。部分画像情報は、部分画像データを特定する部分画像ＩＤと部分画像データの保管場所情報とが対応付けられた情報である。
【００７０】
例えば図７の文書データ４２１では、部分画像データＳ１、Ｓ２、Ｓ３が特定されている。また文書データ４２１のメタデータ４３１には、部分画像データＳ１を特定する部分画像ＩＤ００１と部分画像データＳ１の保管場所情報とが含まれる。部分画像データＳ２、Ｓ３についても同様である。
【００７１】
図８は、部分画像データと部分画像メタデータとを説明する図である。
【００７２】
本実施例の格納部２１５には、データＢと対応付けられたデータＣが格納されている。データＣは、ページ毎文書データ４２の各ページの文書データから抽出されたページ毎部分画像データ４４と、ページ毎部分画像データ４４に対応したページ毎部分画像メタデータ４５とにより構成される。データＣは、図５のステップＳ５０５においてテキスト抽出部２１３による処理が終了した後に生成される。
【００７３】
ページ毎部分画像メタデータ４５には、ページ毎部分画像データ４４の画像のタイプを示す情報（以下、画像タイプ情報）が含まれる。画像のタイプとは、例えばテキスト、画像、表、図等がある。本実施例では、文字領域として認識された部分画像データの画像タイプ情報は「テキスト」であり、画像領域として認識された部分画像データの画像タイプ情報は、「画像」、「表」、「図」の何れか該当するタイプとなる。
【００７４】
画像タイプ情報がテキストである場合は、部分画像データから抽出されたテキストデータがページ毎部分画像メタデータ４５に含まれる。尚本実施例では、画像タイプ情報がテキストでない場合も、部分画像データにテキストが含まれる場合はテキストデータが抽出される。抽出されたテキストデータは、ページ毎部分画像メタデータ４５に含まれる。
【００７５】
図８では、文書データ４２１から抽出されたページ毎部分画像データ４４に含まれる部分画像データＳ１、Ｓ２、Ｓ３と、ページ毎部分画像メタデータ４５に含まれる部分画像メタデータ４５１、４５２、４５３とを示す。
【００７６】
部分画像メタデータ４５１は、部分画像データＳ１のメタデータである。部分画像メタデータ４５２は、部分画像データＳ２のメタデータである。部分画像メタデータ４５３は、部分画像データＳ３のメタデータである。
【００７７】
部分画像メタデータ４５１には、部分画像データＳ１の画像タイプ情報Ｔ１が含まれている。画像タイプ情報Ｔ１は、部分画像データＳ１の画像のタイプがテキストであることを示している。よって部分画像メタデータ４５１には、部分画像データＳ１内のテキストデータＴ２も含まれる。
【００７８】
部分画像メタデータ４５２には、部分画像データＳ２の画像のタイプが「表」であることが示されている。また部分画像メタデータ４５２には、部分画像データＳ２に含まれるテキストである表のタイトルがテキストデータとして含まれている。
【００７９】
部分画像メタデータ４５３には、部分画像データＳ３の画像のタイプが「図」であることが示されている、また部分画像メタデータ４５３には、部分画像データＳ３に含まれるテキストである図のタイトルと、リンク先を示すハイパーリンクとが含まれている。
【００８０】
以上に説明したように、本実施例の登録データは、データＡ、データＢ、テータＣとが対応付けられたデータである。データＡは、文書データ４０と文書データ４０に対応したメタデータ４１とを有する。データＢは、文書データ４０に含まれるページ毎文書データ４２と、ページ毎文書データ４２に対応したページ毎メタデータ４３とを有する。データＣは、各ページ内で認識されたページ毎部分画像データ４４と、ページ毎部分画像データ４４に対応したページ毎部分画像メタデータ４５とを有する。
【００８１】
以下に、図９及び図１０を参照して、本実施例の登録データの例について説明する。図９は登録データを示す第一の図であり、図１０は登録データを示す第二の図である。
【００８２】
図９は、登録データ９０に含まれる文書データ９１と、文書データ９１と対応したメタデータ９２とを示している。
【００８３】
図１０は、登録データ９０に含まれ、文書データ９１とメタデータ９２とに対応付けられたページ毎部分画像データ９３、ページ毎部分画像メタデータ９４とを示している。ページ毎部分画像データ９３には、部分画像データ９３１、９３２が含まれる。ページ毎部分画像メタデータ９４には、部分画像メタデータ９４１、９４２が含まれる。部分画像メタデータ９４１は部分画像データ９３１のメタデータであり、部分画像メタデータ９４２は部分画像データ９３２のメタデータである。
【００８４】
次に、本実施例のＲＳＳデータ作成部２３１によるＲＳＳデータの作成について説明する。本実施例のＲＳＳデータ作成部２３１は、以下の図１１乃至図１４に示す処理により、ＲＳＳデータを作成する。
【００８５】
図１１は、ＲＳＳデータ作成部におけるテキストデータの抽出処理を示すフローチャート図である。図１１では、画像タイプ情報がテキストである部分画像データから抽出したテキストデータを、記事本文（ＲＳＳデータ型の＜ｉｔｅｍ＞要素の子要素である＜ｄｅｓｃｒｉｐｔｉｏｎ＞）の値に設定する処理を説明する。尚図１１では、登録データ９０に対してテキストデータの抽出処理を行った場合を説明する。
【００８６】
ＲＳＳデータ作成部２３１は、文書データ９１のメタデータ９２の部分画像情報を確認する（ステップＳ１１０１）。具体的にはＲＳＳデータ作成部２３１は、格納部２１５に保存されているメタデータ９２を参照し、文書データ９１に含まれる部分画像データの数と部分画像データの保管場所を確認する。
【００８７】
次にＲＳＳデータ作成部２３１は、文書データ９１のページ毎部分画像メタデータ９４を確認する（ステップＳ１１０２）。ＲＳＳデータ作成部２３１は、ページ毎部分画像メタデータ９４から、部分画像データの画像タイプ情報がテキストかテキスト以外かを判断する（ステップＳ１１０３）。具体的にはＲＳＳデータ作成部２３１は、ページ毎部分画像メタデータ９４に含まれる部分画像メタデータ９４１、９４２の画像タイプ情報を確認し、画像タイプ情報がテキストである部分画像データを検索する。
【００８８】
ステップＳ１１０３において画像タイプ情報がテキスト以外である場合、ＲＳＳデータ作成部２３１は、ページ毎部分画像メタデータ９４に含まれる全ての部分画像メタデータ９４１、９４２を調べたか否かを判断する（ステップＳ１１０４）。ステップＳ１１０４において全ての部分画像メタデータを調べていなければ、ＲＳＳデータ作成部２３１は、ステップＳ１１０２へ戻って上述の処理を繰り返す。ステップＳ１１０４において全ての部分画像メタデータを調べたら、ＲＳＳデータ作成部２３１は処理を終了する。
【００８９】
ステップＳ１１０３において画像タイプ情報がテキストである場合、ＲＳＳデータ作成部２３１は、部分画像メタデータからテキストデータを取得する（ステップＳ１１０５）。文書データ９０では、部分画像メタデータ９４２の画像タイプ情報がテキストであるから、ＲＳＳデータ作成部２３１は、部分画像メタデータ９４２からテキストデータを取得する。
【００９０】
そしてＲＳＳデータ作成部２３１は、取得したテキストデータを＜ｉｔｅｍ＞要素の子要素＜ｄｅｓｃｒｉｐｔｉｏｎ＞の値に設定し（ステップＳ１１０６）、ステップＳ１１０４へ進む。
【００９１】
ＲＳＳデータ作成部２３１は、このようにして、画像タイプ情報がテキストである部分画像データを検知した場合には、部分画像メタデータのテキストデータを取得し、ＲＳＳデータ型の＜ｉｔｅｍ＞要素内の子要素＜ｄｅｓｃｒｉｐｔｉｏｎ＞に設定する。
【００９２】
次に、図１２を参照しＲＳＳデータ作成部２３１における画像データの保管場所の設定を説明する。図１２は、ＲＳＳデータ作成部における画像データの保管場所の設定処理を説明するフローチャートである。
【００９３】
図１２では、画像タイプ情報が表又は図である部分画像データの保管場所を、メディアオブジェクト（ＲＳＳデータ型の＜ｉｔｅｍ＞要素の子要素である＜ｅｎｃｌｏｓｕｒｅ＞）に設定する処理を説明する。尚図１２では、登録データ９０に対して画像データの保管場所の設定処理を行った場合を説明する。
【００９４】
図１２のステップＳ１２０１とステップＳ１２０２の処理は、図１１のステップＳ１１０１とステップＳ１１０２の処理と同様であるから説明を省略する。
【００９５】
ＲＳＳデータ作成部２３１は、ページ毎部分画像メタデータ９４から、部分画像データの画像タイプ情報が画像又は表か画像と表以外かを判断する（ステップＳ１２０３）。具体的にはＲＳＳデータ作成部２３１は、ページ毎部分画像メタデータ９４に含まれる各部分画像の画像タイプ情報を確認し、画像タイプ情報が画像又は表である部分画像データを検索する。
【００９６】
ステップＳ１２０３において画像タイプ情報が画像と表以外である場合、ＲＳＳデータ作成部２３１は、ページ毎部分画像メタデータ９４に含まれる全ての部分画像メタデータを調べたか否かを判断する（ステップＳ１２０４）。ステップＳ１２０４において全ての部分画像メタデータを調べていなければ、ＲＳＳデータ作成部２３１は、ステップＳ１２０２へ戻って上述の処理を繰り返す。ステップＳ１２０４において全ての部分画像メタデータを調べたら、ＲＳＳデータ作成部２３１は処理を終了する。
【００９７】
ステップＳ１２０３において画像タイプ情報が画像と表である場合、ＲＳＳデータ作成部２３１は、部分画像メタデータから保管場所情報を取得する（ステップＳ１２０５）。そしてＲＳＳデータ作成部２３１は、保管場所情報を＜ｉｔｅｍ＞要素の子要素である＜ｅｎｃｌｏｓｕｒｅ＞のＵＲＬ（Uniform Resource Locator）属性の値に設定し（ステップＳ１２０６）、ステップＳ１２０４へ進む。
【００９８】
ＲＳＳデータ作成部２３１は、このようにして、画像タイプが画像又は表である部分画像データを検知した場合には、部分画像メタデータの保管場所情報よりデータを取得し、ＲＳＳデータ型の＜ｉｔｅｍ＞要素の子要素である＜ｅｎｃｌｏｓｕｒｅ＞のＵＲＬ属性の値に設定する。
【００９９】
次に、図１３を参照してＲＳＳデータ作成部２３１におけるＵＲＬの抽出処理を説明する。図１３は、ＲＳＳデータ作成部におけるＵＲＬの抽出処理を説明するフローチャートである。
【０１００】
図１３では、メタデータの所属情報の保管場所を、記事のＵＲＬ（ＲＳＳデータ型の＜ｉｔｅｍ＞タグの子要素である＜ｌｉｎｋ＞）に指定する処理を説明する。尚図１３では、登録データ９０に対してＵＲＬの抽出処理を行った場合を説明する。
【０１０１】
ＲＳＳデータ作成部２３１は、文書データ９１のメタデータ９２から文書データ９０の所属情報を取得する（ステップＳ１３０１）。文書データ９０の所属情報とは、文書データ９０の保管場所を示す保管場所情報である。
【０１０２】
次にＲＳＳデータ作成部２３１は、文書データ９０の保管場所情報をＵＲＬとしてＲＳＳデータ型の＜ｉｔｅｍ＞要素の子要素である＜ｌｉｎｋ＞の値に設定し（ステップＳ１３０２）、処理を終了する。
【０１０３】
また本実施例のＲＳＳデータ作成部２３１は、画像処理装置２００にユーザ認証機能が設けられている場合、ＲＳＳデータにユーザ名を入れることができる。
【０１０４】
例えば本実施例の画像処理装置２００において、文書データの入力を行う際にユーザ情報が入力されてユーザ認証が行われた場合、ユーザ情報は文書入力部２１１から格納部２１５まで引き継がれる。そしてユーザ情報は、例えば登録データのメタデータに含まれて、格納部２１５へ登録される。尚ユーザ情報とは、例えばユーザＩＤ等である。
【０１０５】
例えば登録データ９０の場合、メタデータ９２の［実施者］の項目に、ユーザＩＤとして「ＤｏｃｕｍｅｎｔＣｒｉｐｅｒＵｓｅｒＡ」が保存される。同様にして、各部分画像メタデータ９４１、９４２にもユーザＩＤが保存される。
【０１０６】
次に、図１４を参照してＲＳＳデータ作成部２３１におけるイーメール（Ｅｍａｉｌ）アドレスを設定する処理を説明する。図１４は、ＲＳＳデータ作成部におけるイーメールアドレスを設定する処理を説明するフローチャートである。
【０１０７】
ＲＳＳデータ作成部２３１は、メタデータ９２の実施者を示す情報（以下、実施者情報）を取得する（ステップＳ１４０１）。具体的にはＲＳＳデータ作成部２３１は、格納部２１５のメタデータ９２中の［実施者］に記述されているユーザＩＤを取得する。
【０１０８】
次にＲＳＳデータ作成部２３１は、アドレス帳から実施者情報に対応するイーメールメールアドレスを取得する（ステップＳ１４０２）。具体的にはＲＳＳデータ作成部２３１は、アドレス帳記憶部２５０にアクセスし、アドレス帳記憶部２５０に格納されたアドレス帳からユーザＩＤを指定して、そのユーザＩＤに対応するイーメールアドレスを取得する。
【０１０９】
次にＲＳＳデータ作成部２３１は、イーメールアドレスをＲＳＳデータ型の＜ｍａｎａｇｉｎｇＥｄｉｔｏｅ＞要素の値に設定し（ステップＳ１４０３）、処理を終了する。
【０１１０】
以下に、ＲＳＳデータ作成部２３１が登録データ９０に対して図１１乃至図１４で説明した処理を実行した結果、作成されたＲＳＳデータの例を説明する。
【０１１１】
図１５は、ＲＳＳデータの一例を説明する図である。
【０１１２】
図１５は、登録データ９０から作成されたＲＳＳデータ１５０を示している。ＲＳＳデータ１５０は、ＲＳＳデータ保管領域部２３２に保管されている。
【０１１３】
ＲＳＳデータ１５０では、図１１で説明した処理で抽出されたテキストデータ１５１、図１２で説明した処理で設定された部分画像データの保管場所を示すＵＲＬ１５２、図１３で説明した処理で設定された文書データ９０の保管場所情報１５３、文書データ９０を入力したユーザのユーザＩＤ１５４、図１４で説明した処理で設定されたイーメールアドレス１５５が含まれる。
【０１１４】
本実施例において、文書入力部２１１から新たな文書データが入力されると、ＲＳＳデータ作成部２３１はその度に図１１乃至図１４で説明した処理を実行し、ＲＳＳデータを作成する。作成されたＲＳＳデータは、＜ｉｔｅｍ＞要素として追加される。
【０１１５】
図１５に示すＲＳＳデータ１５０に新たにＲＳＳデータが追加される場合には、図１５中の矢印１５６に示す位置に、新たな＜ｉｔｅｍ＞要素が挿入されてＲＳＳデータが追加される。
【０１１６】
図１６は、新たに追加されるＲＳＳデータの例を示す図である。
【０１１７】
図１６に示すＲＳＳデータ１６０は、図１５の矢印１５６の箇所である＜／ｉｔｅｍ＞の行と＜／ｃｈａｎｎｅｌ＞の行との間に追加される。ＲＳＳデータ１６０は、＜ｉｔｅｍ＞タグと＜／ｉｔｅｍ＞タグとで挟んだデータである。
【０１１８】
本実施例では、以上のようにして新たに入力された文書データから作成したＲＳＳデータを追加することができる。
【０１１９】
次に、図１７を参照して画像処理システム１００におけるＲＳＳデータの配信処理を説明する。図１７は、画像処理システムにおけるＲＳＳデータの配信処理を説明するシーケンス図である。
【０１２０】
画像処理システム１００において、情報処理装置３００側のＲＳＳリーダ３１０は、Ｈｔｔｐｄ２４０へＲＳＳリクエストを送信する（ステップＳ１７０１）。Ｈｔｔｐｄ２４０は、ＲＳＳリクエストを受けると、ＲＳＳデータ処理部２３０のＲＳＳデータ制御部２３３へＲＳＳデータ取得要求を送る（ステップＳ１７０２）。ＲＳＳデータ制御部２３３は、ＲＳＳデータ取得要求を受けると、ＲＳＳデータ保管領域部２３２にＲＳＳデータ取得要求を送る（ステップＳ１７０３）。
【０１２１】
ＲＳＳデータ保管領域部２３２は、ＲＳＳデータ制御部２３３に要求されたＲＳＳデー
タをＲＳＳデータ制御部２３３へ送信する（ステップＳ１７０４）。ＲＳＳデータ制御部２３３は、ＲＳＳデータ保管領域部２３２から受信したＲＳＳデータをＨｔｔｐｄ２４０へ送信する（ステップＳ１７０５）。Ｈｔｔｐｄ２４０は、ＲＳＳデータ制御部２３３から受信したＲＳＳデータをＲＳＳリーダ３１０へ送信する（ステップＳ１７０６）。
【０１２２】
本実施例では、以上のようにしてＲＳＳリーダ３１０を使ったＲＳＳデータのプッシュ型配信を実現する。
【０１２３】
図１８乃至図２０は、ＲＳＳリーダで読み取ったＲＳＳデータの一例を示している。
【０１２４】
図１８は、テキストデータと表及び画像等の部分画像データデータとからなるＲＳＳデータを読み取って認識したときの一例を示す図である。図１９は、テキストデータのＲＳＳデータを読み取って認識したときの一例を示す図である。図２０は、表及び画像等の部分画像データのＲＳＳデータを読み取って認識したときの一例を示す図である。
【０１２５】
次に、本実施例の画像処理装置２００において登録データの変更要求を受けた場合の処理について説明する。始めに、画像処理装置２００が受け付けた変更要求が、格納部２１５に格納された登録データに含まれる部分画像データの更新要求であった場合について説明する。
【０１２６】
図２１は、部分画像データの更新処理を説明するシーケンス図である。本実施例では、例えば文書データの元となる原稿が修正された後に再度スキャンされて文書データとされた場合等に、修正箇所を含む部分画像データが更新される。本実施例では修正箇所を含む部分画像データに基づき、更新があったことを示すＲＳＳデータ（以下、更新ＲＳＳデータ）を作成することができる。
【０１２７】
本実施例の画像処理装置２００において、例えば操作パネル２８が部分画像データの更新指示を受けると、操作パネル２８は、要求制御部２２１へ部分画像データの更新要求を送る（ステップＳ２１０１）。
【０１２８】
操作パネル２８から更新指示を受けた場合とは、修正後の原稿がスキャンされた後に格納部２１５に格納された登録データの更新処理の操作がされた場合等である。
【０１２９】
要求制御部２２１は、更新要求を受けると、検索部２２３へ受け取った部分画像データの更新要求を送る（ステップＳ２１０２）。また要求制御部２２１は、ＲＳＳデータ作成部２３１へ更新要求通知を送る（ステップＳ２１０３）。
【０１３０】
検索部２２３は、格納部２１５を検索し、対応する登録データと更新された部分画像データとを付けて格納する（ステップＳ２１０４）。
【０１３１】
ＲＳＳデータ作成部２３１は、要求制御部２２１から更新要求通知を受けると、格納部２１５に更新された部分画像データのデータ取得要求を送る（ステップＳ２１０５）。尚更新要求通知には、更新要求情報が含まれる。更新要求情報とは、例えば更新前の部分画像データを特定する情報と、更新後の部分画像データを特定する情報とを含む情報等である。
【０１３２】
格納部２１５は、データ取得要求を受けて、ＲＳＳデータ作成部２３１へ要求されたデータを送る（ステップＳ２１０６）。
【０１３３】
ＲＳＳデータ作成部２３１は、格納部２１５から取得した部分画像データと、更新要求通知に含まれる更新要求情報とに基づき、指示された更新要求通りに部分画像データを更新し、更新されたことを示すＲＳＳデータ（以下、更新ＲＳＳデータ）を作成する（ステップＳ２１０７）。そしてＲＳＳデータ作成部２３１は、ＲＳＳデータ保管領域部２３２に更新ＲＳＳデータを登録して保管する（ステップＳ２１０８）。
【０１３４】
以下に、図９に示した文書データ９１のメタデータ９２中の部分画像ＩＤ「０００１」を部分画像ＩＤ「０００１Ｎｅｗ」に更新する場合のＲＳＳデータ作成部２３１の処理を説明する。
【０１３５】
図２２は、図１５に示したＲＳＳデータの更新ＲＳＳデータを示す図である。
【０１３６】
操作パネル２８から更新内容を受け取ったＲＳＳデータ作成部２３１は、まず、更新対象である文書データ９１に関するＲＳＳデータを従来どおりに作成する。ＲＳＳデータ作成部２３１は、その後要求制御部２２１が受け取った更新要求を確認する。以下には、更新要求が部分画像データの更新であった場合を説明する。
【０１３７】
ＲＳＳデータ作成部２３１が更新要求を確認すると、更新処理部２３５は、図２２に示す更新ＲＳＳデータ１６１の＜ｉｔｅｍ＞要素の子要素である＜ｔｉｔｌｅ＞要素の値に［更新］という文字列を追加する。
【０１３８】
また、更新処理部２３５は、要求制御部２２１から受け取った変更要求情報「画像変更："／ｒｅｐｏｓｉｔｏｒｙ／０００１．ｐｄｆ"→"／ｒｅｐｏｓｉｔｏｒｙ／０００１Ｎｅｗ．ｐｄｆ"」を、更新ＲＳＳデータ１６１の＜ｉｔｅｍ＞要素の子要素である＜ｃｏｍｍｅｎｔｓ＞要素の値として記述する。
【０１３９】
本実施例では、以上のようにして、格納部２１５に保存されている登録データが更新された時に、更新内容を示す更新ＲＳＳデータ作成を実施する。そして更新ＲＳＳデータを配信することで、ユーザに更新内容だけを認識させることができる。
【０１４０】
次に、本実施例の画像処理装置２００において受け付けた登録データの変更要求が、ページ単位での文書データの削除要求であった場合について説明する。
【０１４１】
本実施例では、ページ毎文書データが削除された場合、ページ毎文書データが削除されたことを示す削除ＲＳＳデータを作成して配信する。
【０１４２】
以下に、図２３を参照して文書データの削除処理について説明する。図２３は、文書データの削除処理を説明するフローチャートである。図２３では、図９に示す文書データ９１が削除対象となった場合について説明する。
【０１４３】
本実施例の画像処理装置２００において、要求制御部２２１は、文書データの削除指示を受けると削除要求を検索部２２３へ送り、検索部２２３は格納部２１５から削除される文書データ９１に対応するメタデータ９２を取得する（ステップＳ２３０１）。
【０１４４】
次にＲＳＳデータ作成部２３１において、削除処理部２３６は、文書データ９１に対応するＲＳＳデータを作成する際に、＜ｉｔｅｍ＞要素の子要素である＜ｔｉｔｌｅ＞要素の値に、文書データ９１が削除されることを示すメッセージを追加する（ステップＳ２３０２）。次に削除処理部２３６は、メタデータ９２から文書データ９１の保管場所、文書データ９１に含まれる部分画像データの部分画像ＩＤ等の情報を取得する（ステップＳ２３０３）。
【０１４５】
削除処理部２３６は、ステップＳ２３０３で取得した情報を＜ｉｔｅｍ＞要素の子要素である＜ｄｅｓｃｒｉｐｔｉｏｎ＞要素の値に設定する（ステップＳ２３０４）。次に削除処理部２３６は、＜ｉｔｅｍ＞要素の子要素である＜ｌｉｎｋ＞要素の値に、文書データ９１に含まれる部分画像データがリストされた画面のＵＲＬを設定し（ステップＳ２３０５）、この処理を終了する。
【０１４６】
図２４は、図２３の処理により作成された削除ＲＳＳデータの例を示す図である。本実施例では、図２４に示す削除ＲＳＳデータ１６２を配信することで、ユーザに削除された文書データを認識させることができる。
【０１４７】
ＲＳＳデータ１６２に対してアクセスがあった場合には、情報処理装置３００の出力装置（ディスプレイ装置）３２に画像処理装置２００内部にある画像データすべてを表示するＩｎｄｅｘページが表示される。図２５は、Ｉｎｄｅｘページの例を示す図である。
【０１４８】
本実施例では、Ｉｎｄｅｘページに表示された画像データのうち、削除されたページの文書データに含まれる部分画像データにアクセスし、部分画像データを結合させることで、削除されたページの文書データを復元することができる。例えば文書データ９１を復元したい場合、Ｉｎｄｅｘページに表示された部分画像データ９３１、９３２を結合させれば、文書データ９１を復元することができる。
【０１４９】
このように本実施例では、文書データ（親）がページ単位で削除された場合に、保存されている部分画像データ（子）から文書データ（親）を復元することができる。
【０１５０】
次に、画像の変更要求の削除要求であり、削除要求が部分画像データの削除要求であった場合の処理について説明する。本実施例では、部分画像データが削除された場合も、削除ＲＳＳデータを作成して配信する。
【０１５１】
図２６は、部分画像データの削除処理を示すフローチャート図である。図２６では、文書データ９１から部分画像データ９３１が削除された場合を説明する。
【０１５２】
ステップＳ２６０１の処理は図２３のステップＳ２３０１の処理と同様であるから説明を省略する。
【０１５３】
次にＲＳＳデータ作成部２３１において、削除処理部２３６は、文書データ９１に対応するＲＳＳデータを作成する際に、＜ｉｔｅｍ＞要素の子要素である＜ｔｉｔｌｅ＞要素の値に、部分画像データ９３１が削除されることを示すメッセージを追加する（ステップＳ２６０２）。次に削除処理部２３６は、部分画像メタデータ９４１から部分画像データ９３１の保管情報を取得する（ステップＳ２６０３）。次に削除処理部２３６は、部分画像メタデータ９４１から部分画像データ９３１の領域を示す座標情報を取得する（ステップＳ２６０４）。
【０１５４】
そして削除処理部２３６は、ステップＳ２６０３で取得した保管場所情報と、ステップＳ２６０４で取得した座標情報とを＜ｉｔｅｍ＞要素の子要素である＜ｄｅｓｃｒｉｐｔｉｏｎ＞要素の値に設定し（ステップＳ２６０５）、処理を終了する。
【０１５５】
図２７は、図２６の処理により作成された削除ＲＳＳデータの例を示す図である。本実施例では、図２７に示す削除ＲＳＳデータ１６３を配信することで、ユーザに部分画像データが削除されたこと認識させることができる。尚本実施例では、削除ＲＳＳデータ１６３の＜ｉｔｅｍ＞要素の子要素である＜Ｌｉｎｋ＞要素には、削除された部分画像データが含まれる文書データの保管場所情報が設定されている。よって削除ＲＳＳデータ１６３にアクセスすることで部分画像データが含まれる文書データにアクセスでき、また、座標情報より、削除された部分画像データの位置を認識することができる。
【０１５６】
また、削除された部分画像データを復元したい場合には、座標情報を利用して文書データから部分画像データの抽出すれば、部分画像データを復元することができる。
【０１５７】
このように本実施例では、部分画像データ（子）を削除された場合に、部分画像データ（子）が含まれる文書データ（親）から部分画像データ（子）を復元することができる。
【０１５８】
次に、本実施例の画像処理装置２００におけるセキュリティ制御処理について説明する。
本実施例の画像処理装置２００では、ＲＳＳデータ中のテキストに特定のキーワードが含まれる場合には、このＲＳＳデータを削除することができる。
【０１５９】
図２８は、画像処理装置におけるセキュリティ制御の処理を示すシーケンス図である。
【０１６０】
本実施例のＲＳＳリーダ３１０は、Ｈｔｔｐｄ２４０にＲＳＳデータのリクエストを送信する（ステップＳ２８０１）。Ｈｔｔｐｄ２４０は、リクエストを受けて、ＲＳＳデータ制御部２３３へＲＳＳデータ取得要求を送信する（ステップＳ２８０２）。ＲＳＳデータ制御部２３３は、ＲＳＳデータ保管領域部２３２へＲＳＳデータ取得要求を送信する（ステップＳ２８０３）。
【０１６１】
ＲＳＳデータ保管領域部２３２は、ＲＳＳデータ制御部２３３から要求されたＲＳＳデータをＲＳＳデータ制御部２３３へ送信する（ステップＳ２８０４）。
【０１６２】
ＲＳＳデータ制御部２３３は、セキュリティキーワード保管領域制御部２３４へセキュリティキーワード取得要求を送信する（ステップＳ２８０５）。セキュリティキーワード保管領域制御部２３４は、ＲＳＳデータ制御部２３３へセキュリティキーワード一覧を送信する（ステップＳ２８０６）。ＲＳＳデータ制御部２３３は、セキュリティキーワード一覧に基づいて制御したＲＳＳデータをＨｔｔｐｄ２４０へ送信する（ステップＳ２８０７）。ＲＳＳデータ制御部２３３によるＲＳＳデータの制御の詳細は後述する。Ｈｔｔｐｄ２４０は、ＲＳＳデータ制御部２３３から受信したＲＳＳデータをＲＳＳリーダ３１０へ送信する（ステップＳ２８０８）。
【０１６３】
図２９は、ＲＳＳデータ制御部によるＲＳＳデータのセキュリティ制御処理を示すフローチャートである。
【０１６４】
ＲＳＳデータ制御部２３３は、ＲＳＳデータ保管領域部２３４からＲＳＳデータを取得する（ステップＳ２９０１）。次にＲＳＳデータ制御部２３３は、セキュリティキーワード保管領域制御部２３４からセキュリティキーワード一覧を取得する（ステップＳ２９０２）。
尚本実施例のセキュリティキーワード保管領域制御部２３４には、予めセキュリティキーワード一覧が格納されている。
【０１６５】
ＲＳＳデータ制御部２３３は、ステップＳ２９０１で取得したＲＳＳデータの＜ｉｔｅ
ｍ＞要素内のテキストデータに、セキュリティキーワード一覧に含まれるキーワードが存在するか否かをチェックする（ステップＳ２９０３）。ＲＳＳデータ制御部２３３は、テキストデータに含まれるセキュリティキーワード一覧に含まれるキーワードが、ＲＳＳデータを配信不可能とするキーワードか否かを判断する（ステップＳ２９０４）。
【０１６６】
ステップＳ２９０４において、ＲＳＳデータを配信不可能とするキーワードが含まれる場合、ＲＳＳデータ制御部２３３は、ＲＳＳデータから＜ｉｔｅｍ＞要素のデータを削除する（ステップＳ２９０５）。ステップＳ２９０４において、ＲＳＳデータを配信不可能とするキーワードが含まれない場合、そのままステップ２９０６へ進む。
【０１６７】
ＲＳＳデータ制御部２３３は、セキュリティキーワード一覧に含まれる全キーワードによるチェックを終了したか否かを判断し（ステップＳ２９０６）、終了しなければステップＳ２９０４以降の処理を繰り返す。ステップＳ２９０６において全キーワードによるチェックが終了していた場合、ＲＳＳデータ制御部２３３は、Ｈｔｔｐｄ２４０を介してＲＳＳリーダ３１０へレスポンスを返送し（ステップＳ２９０７）、処理を終了する。
【０１６８】
以上のようにして本実施例のＲＳＳデータ制御部２３３は、リクエストを受信した場合、ＲＳＳデータのセキュリティをチェックする。
【０１６９】
以下に、図３０及び図３１を参照して、図２９で説明した処理により制御されたＲＳＳデータについて説明する。
【０１７０】
図３０は、図２９で説明した処理でＲＳＳデータ制御部により削除されたデータの例を示す図である。図３１は、図２９で説明した処理により作成されたＲＳＳデータの例を示す図である。図３０及び図３１では、ＲＳＳデータを配信不可能とするセキュリティキーワードが「セキュリティホール」であった場合を示す。
【０１７１】
図３０において、ＲＳＳデータ制御部２３３は、図３０に示すＲＳＳデータの＜ｉｔｅｍ＞要素内のテキストデータに「セキュリティホール」と一致するキーワードがあると判断する。ＲＳＳデータ制御部２３３は、「セキュリティホール」がＲＳＳデータを配信不可能とするキーワードであると判断すると、図３０に示す＜ｉｔｅｍ＞要素内のデータを全て削除する。
【０１７２】
図３１では、図３０に示す＜ｉｔｅｍ＞要素が削除された状態のＲＳＳデータ１６５を示す。ＲＳＳデータ１６５では、ＲＳＳデータ制御部２３３による判断の結果、図中の枠１６６に記述されていた図３０に示す＜ｉｔｅｍ＞要素内が全て削除されている。
【０１７３】
本実施例では、以上のようにして、スキャン装置２１で読み込んだ画像データから、テキストデータを抽出し、そのテキストデータをセキュリティキーワードと比較チェックしてから、配信を実施することができる。よって本実施例では、画像処理装置２００の内部に保存されているデータの中で、セキュリティ上外部に出力しないようにすべき内容のデータの配信を防ぐことができる。
【０１７４】
次に、本実施例の画像処理装置２００におけるＲＳＳデータの配信に関する設定について説明する。本実施例では、図示しない端末装置等の有するウェブブラウザを用いて画像処理装置２００へアクセスし、画像処理装置２００におけるＲＳＳデータの配信設定を行うことができる。本実施例の画像処理装置２００では、ウェブブラウザからＲＳＳデータの配信設定を受け付けると、ＲＳＳデータ制御部２３３が画像処理装置２００とＲＳＳリーダ３１０との間のＲＳＳデータの配信設定を行う。
【０１７５】
以下に図３２及び図３３を参照して画像処理装置２００の設定について説明する。図３２は、ウェブブラウザに表示された設定画面の第一の例を示す図であり、図３３はウェブブラウザに表示された設定画面の第二の例を示す図である。
【０１７６】
図３２に示す設定画面６０には、ＲＳＳデータの配信の基本設定画面へリンクされたリンクボタン６１が表示されている。リンクボタン６１が押下されると、ウェブブラウザには図３３に示すＲＳＳ配信設定に関する設定画面６２が表示される。
【０１７７】
図３３に示す設定画面６２では、ＲＳＳデータを配信するためのチャンネルを設定することができる。本実施例では、設定画面６２において＜自動分割配信設定＞−＜ドキュメント配信設定＞のオリジナルデータのチェックボックス６３がチェックされると、ＲＳＳデータ制御部２３３により、画像処理装置２００とＲＳＳリーダ３１０との間に文書データ単位のＲＳＳデータを配信するチャンネルが設定される。
【０１７８】
また設定画面６２において、＜自動分割配信設定＞−＜ドキュメント配信設定＞の部分画像データのチェックボックス６４がチェックされると、画像処理装置２００とＲＳＳリーダ３１０との間に部分画像データ単位のＲＳＳデータを配信するチャンネルが設定される。
【０１７９】
このように本実施例では、文書データのページ単位での配信の指定、部分画像データ単位での配信の指定を行うことができる。よって本実施例では、部分画像データと、部分画像データの元となる文書データの両方が存在していた場合に、ユーザが希望するデータ単位を予め設定することにより、必要な情報のみを配信することができる。また通常は同一の情報が複数送信された場合には、ユーザは必要な情報にアクセスし難くなるが、本実施例では、予め設定されたチャンネルにより設定されたデータ単位で配信を行うためユーザは容易に所望のデータにアクセスすることができる。
【０１８０】
また本実施例では、図３３に示す設定画面６２の＜ドキュメント配信設定＞においてチェックボックス６３、６４にチェックしたチャンネル、＜メタデータ配信設定＞においてチェックボックスにチェックしたチャンネルを、設定画面６１に示す＜ＲＳＳ配信設定  基本設定＞におけるＲＳＳデータを配信するためのチャンネルとして追加することができる。
【０１８１】
例えば設定画面６２において、チェックボックス６３、６４、６５にチェックした後に設定画面６１を表示させると、図３４に示す設定画面６６のように表示される。図３４は、ＲＳＳデータ配信のチャンネルが追加された設定画面の一例を示す図である。
【０１８２】
図３４に示す設定画面６６には、新たに追加されたチャンネルに対応したリンクボタン６７が表示される。ウェブブラウザは、設定画面６６において、リンクボタン６７の何れかが押下されると、リンク先の各チャンネル毎の設定ページを表示する。
【０１８３】
例えば設定画面６６において、＜ＲＳＳチャンネル：オリジナル＞のリンクボタン６７が押下された場合、図３５に示す設定画面６８が表示される。図３５は、＜ＲＳＳチャンネル：オリジナル＞の設定画面の一例を示す図である。
【０１８４】
以下に、図３６を参照して、＜ＲＳＳ配信設定  基本設定＞にＲＳＳデータ配信のチャンネルを追加する処理を説明する。図３６は、＜ＲＳＳ配信設定  基本設定＞にＲＳＳデータ配信のチャンネルを追加する処理を説明するフローチャートである。
【０１８５】
ＲＳＳデータ制御部２３３は、ウェブブラウザに表示された設定画面６０においてＲＳＳ配信設定の基本設定の実施が選択されると（ステップＳ３６０１）、設定画面６２において設定された基本設定のチャンネルの追加分（以下、設定差分）を確認する（ステップＳ３６０２）。ＲＳＳデータ制御部２３３は、設定差分を確認した結果、基本設定のチャンネルに変更があるか否かを判断する（ステップＳ３６０３）。
【０１８６】
ステップＳ３６０３において変更があった場合、ＲＳＳデータ制御部２３３は、変更内容を確認する（ステップＳ３６０４）。ステップＳ３６０３において変更がない場合、ＲＳＳデータ制御部２３３は処理を終了する。
【０１８７】
ＲＳＳデータ制御部２３３は、ステップＳ３６０４で確認した変更内容が新規作成、更新、削除のどの要求かを判断する（ステップＳ３６０５）。ステップＳ３６０５において、変更内容が新規作成であった場合、ＲＳＳデータ制御部２３３は、チャンネル保存領域を作成する（ステップＳ３６０６）。そしてＲＳＳデータ制御部２３３は、チャンネル保存領域に設定項目のデフォルト値を設定し（ステップＳ３６０７）、設定画面６０の基本設定に追加されたチャンネルを追加して（ステップＳ３６０８）、処理を終了する。尚本実施形態のチャンネル保存領域は、画像形成装置２００の有するメモリ装置内に設けられても良いし、端末装置等の有するメモリ装置内に設けられていても良い。
【０１８８】
ステップＳ３６０５において、変更内容が既存のチャンネルの設定項目のデフォルト値の更新であった場合、デフォルト値を更新し（ステップＳ３６０９）、処理を終了する。ステップＳ３６０５において、変更内容がチャンネルの削除であった場合、ＲＳＳデータ制御部２３３は、ＲＳＳ配信設定の基本設定から該当するチャンネルを削除し（ステップＳ３６１０）、処理を終了する。
【０１８９】
また本実施例では、上述と同様の処理により、各メタデータの項目単位でチャンネルを追加することもできる。例えば図３４に示すリンクボタン６７に含まれる＜ＲＳＳチャンネル：実施者Ｂ＞や、＜ＲＳＳチャンネル：日付＞は、メタデータの項目毎に追加されたチャンネルである。＜ＲＳＳチャンネル：実施者Ｂ＞は、メタデータに含まれる項目「実施者」が実施者Ｂであるデータを配信するチャンネルである。また＜ＲＳＳチャンネル：日付＞は、メタデータに含まれる日時情報の日付が２００８／２／２８であるデータを配信するチャンネルである。
【０１９０】
例えば文書データに様々なデータ（画像、テキスト、表ｅｔｃ）が含まれていた場合に、全てのデータが配信されると、ユーザは必要な情報にアクセスするまでに時間がかかってしまう。本実施例では、メタデータ単位でＲＳＳデータ配信のチャンネルを追加できるので、ユーザが必要な情報のみの配信を設定することができる。本実施例では、例えばテキストデータのみの配信を行うことができる。また本実施例では、文書データが入力された日時を示す日時情報のみを配信することもできる。
【０１９１】
〔実施例２〕
以下に図面を参照して本発明の実施例２について説明する。本発明の実施例２では、文書データに画像タイプ情報が「テキスト」である部分画像データが存在しない場合について説明する。以下の実施例２の説明において、実施例１と同様の機能構成を有するものには実施例１の説明で用いた符号と同様の符号を付与し、その説明を省略する。
【０１９２】
図３７は、実施例２において文書入力部により入力された文書データの一例を示す図である。図３７に示す文書データ３７０には、部分画像データ３７１が含まれる。図３８は、部分画像データ３７１の部分画像メタデータを示す図である。
【０１９３】
文書データ３７０には、画像タイプ情報が「表」である部分画像データ３７１しか存在せず、画像タイプ情報が「テキスト」である部分画像データが存在しない。
【０１９４】
以下に、画像タイプ情報が「テキスト」である部分画像データが存在しない文書データ３７０のＲＳＳデータの作成について説明する。
【０１９５】
本実施例のＲＳＳデータ作成部２３１は、部分画像データ中の周辺にあるテキストを用いてＲＳＳデータを作成する。
【０１９６】
本実施例の部分画像データ３７１には、表のタイトルとなるテキストが含まれている。よって部分画像メタデータ３８１には、部分画像データ３７１内から抽出されたテキストが含まれる。
【０１９７】
本実施例のＲＳＳデータ作成部２３１は、部分画像メタデータ３８１を参照し、部分画像データ３７１内から抽出されたテキストを用いてＲＳＳデータの＜ｉｔｅｍ＞要素の子要素である＜ｔｉｔｌｅ＞の値と＜ｄｅｓｃｒｉｐｔｉｏｎ＞の値を設定する。
【０１９８】
例えばＲＳＳデータ作成部２３１は、部分画像メタデータ３８１のテキストから、表のタイトルである「表１」を＜ｔｉｔｌｅ＞の値に設定する。そしてＲＳＳデータ作成部２３１は、部分画像メタデータ３８１のテキスト全文を＜ｄｅｓｃｒｉｐｔｉｏｎ＞の値として設定する。
【０１９９】
図３９は、文書データ３７０に基づき作成されたＲＳＳデータに含まれる＜ｉｔｅｍ＞要素の構成の一例を示す図である。
【０２００】
図３９では、行３９１において＜ｔｉｔｌｅ＞の値にテキスト「表１」が設定されおり、行３９２において＜ｄｅｓｃｒｉｐｔｉｏｎ＞の値にテキスト「表１．主要３大都市における目標達成率」が設定されている。
【０２０１】
以上に説明したように、本実施例では、画像タイプ情報が「テキスト」である部分画像データが存在しない文書データであっても、ユーザが文書データの内容を把握できるようにＲＳＳデータを作成することができる。
【０２０２】
〔実施例３〕
以下に本発明の実施例３について説明する。本発明の実施例３では、文書データに画像タイプ情報が「テキスト」である部分画像データが存在しない場合の別の例について説明する。
【０２０３】
本実施例では、部分画像データ内にテキストが存在しない点が実施例２と相違する。
【０２０４】
図４０は、実施例３において文書入力部により入力された文書データの一例を示す図である。図４０に示す文書データ３７３には、部分画像データ３７４が含まれる。図４１は、部分画像データ３７４の部分画像メタデータを示す図である。
【０２０５】
本実施例の部分画像データ３７４内には、テキストが存在しない。よって部分画像メタデータ３８２にもテキストは含まれない。
【０２０６】
そこで本実施例のＲＳＳデータ作成部２３１は、部分画像メタデータ３８２を参照し、例えば文書データ３７３がスキャンされた日時を示すスキャン日時情報や、文書データ３７３をスキャンしたユーザ名等を用いてＲＳＳデータの＜ｔｉｔｌｅ＞の値と＜ｄｅｓｃｒｉｐｔｉｏｎ＞の値を設定する。
【０２０７】
例えばＲＳＳデータ作成部２３１は、部分画像メタデータ３８２のスキャン日時情報を＜ｔｉｔｌｅ＞の値に設定する。そしてＲＳＳデータ作成部２３１は、部分画像メタデータ３８２のユーザ名を＜ｄｅｓｃｒｉｐｔｉｏｎ＞の値として設定する。
【０２０８】
図４２は、文書データ３７３に基づき作成されたＲＳＳデータに含まれる＜ｉｔｅｍ＞要素の構成の一例を示す図である。
【０２０９】
図４２では、行３８３において＜ｔｉｔｌｅ＞の値に部分画像メタデータ３８２に含まれるスキャン日時情報が設定されおり、行３８４において＜ｄｅｓｃｒｉｐｔｉｏｎ＞の値に部分画像メタデータ３８２に含まれるユーザ情報が設定されている。
【０２１０】
以上に説明したように、本実施例では、画像タイプ情報が「テキスト」である部分画像データが存在せず、さらに部分画像データ内にテキストが存在しない文書データであっても、ユーザが文書データの特定できるようにＲＳＳデータを作成することができる。
【０２１１】
〔実施例４〕
以下に本発明の実施例４について説明する。本発明の実施例４では、文書データ内に画像タイプ情報が「テキスト」である部分画像データが複数存在した場合の例について説明する。
【０２１２】
図４３は、実施例４において文書入力部により入力された文書データの一例を示す図である。図４３に示す文書データ４３０には、部分画像データ４３１、４３２、４３３、４３４、４３５が含まれる。部分画像データ４３１、４３２、４３３、４３４、４３５は、それぞれに対応した部分画像メタデータにおいて全て画像タイプ情報が「テキスト」である部分画像データである。
【０２１３】
本実施例のＲＳＳデータ作成部２３１では、画像タイプ情報が「テキスト」である部分画像データが複数存在する文書データの場合、全ての部分画像データにおいて最も使用頻度が高いキーワードを＜ｉｔｅｍ＞要素の子要素である＜ｔｉｔｌｅ＞の値に設定する。
【０２１４】
文書データ４３０では、「目標」というキーワードが、部分画像データ４３１で１回、部分画像データ４３２で２回、部分画像データ４３５で１回の合計４回使用されており、文書データ４３０において最も使用頻度が高いキーワードである。
【０２１５】
よって本実施例では、ＲＳＳデータ作成部２３１は、「目標」というキーワードを＜ｔｉｔｌｅ＞の値に設定する。
【０２１６】
このように本実施例では、画像タイプ情報がテキストである複数の部分画像データを有する文書データにおいても、ＲＳＳデータを作成する際に文書データの内容に沿った適切なタイトルをつけることができる。
【０２１７】
また本実施例のＲＳＳデータ作成部２３１は、特定のキーワードと、＜ｔｉｔｌｅ＞の値と、＜ｄｅｓｃｒｉｐｔｉｏｎ＞の値とが対応付けられたテーブル４４０を有しており、テーブル４４０を参照してＲＳＳデータを作成しても良い。
【０２１８】
図４４は、ＲＳＳデータ作成部の有するテーブルの例を示す図である。本実施例のテーブル４４０には、キーワードと、＜ｔｉｔｌｅ＞の値と、＜ｄｅｓｃｒｉｐｔｉｏｎ＞の値とが対応付けられている。テーブル４４０では、例えば「目標」というキーワードに対して、「Ａ会議」と「毎週金曜  ＰＭ５：００〜  定例」とが対応付けられている。
【０２１９】
ＲＳＳデータ作成部２３１は、文書データ４３０において最も使用頻度が高いキーワードを判断した後にテーブル４４０を参照する。文書データ４３０の例では、該当するキーワードは「目標」である。よってＲＳＳデータ作成部２３１は、＜ｔｉｔｌｅ＞の値を「Ａ会議」に設定し、＜ｄｅｓｃｒｉｐｔｉｏｎ＞の値に「毎週金曜  ＰＭ５：００〜  定例」と設定する。
【０２２０】
尚、上述の例では、最も使用頻度が高いキーワードを用いてＲＳＳデータを作成するものとして説明したが、これに限定されない。例えばキーワード毎に重要度が設定されており、重要度の高いキーワードを用いてテーブル４４０を参照しても良い。
【０２２１】
このように本実施例では、文書データに含まれるキーワードに応じて、予め設定された内容でＲＳＳデータを作成することができる。よって本実施例では、ユーザに文書データの内容を容易に認識させることができる。
【０２２２】
〔実施例５〕
以下に本発明の実施例５について説明する。本発明の実施例５では、ＲＳＳデータの配信設定において、複数の部分画像データを結合して配信する設定を行うことができる。
【０２２３】
図４５は、部分画像データの結合の設定を行う設定画面の一例を示す図である。図４５に示す設定画面６８Ａは、図３４に示す設定画面６０において、＜ＲＳＳチャンネル：オリジナル＞のリンクボタン６７が押下された場合に表示される設定画面である。
【０２２４】
設定画面６８Ａには、部分画像データの結合を設定する結合設定部６８Ｂが表示されている。本実施例のＳＳデータ制御部２３３は、結合設定部６８Ｂにおいて結合設定が有りと設定されていた場合、Ｒ部分画像データを結合したＲＳＳデータを配信する。本実施例の結合設定部６８Ｂでは、結合する部分画像データの数を設定することができる。結合可能な部分画像データの数は、例えばデータのサイズ等により上限値が予め決められていても良い。
【０２２５】
例えば図６に示す文書データ４０において、２つの部分画像データを結合する設定となっていた場合について説明する。文書データ４０には、部分画像データＳ１、Ｓ２、Ｓ３が含まれる。このときＲＳＳデータ制御部２３３は、結合設定に従って画像タイプ情報が「テキスト」以外の部分画像データＳ２と部分画像データＳ３とを結合し、一つの部分画像データとして配信する。
【０２２６】
尚上述した説明では、画像タイプ情報が「テキスト」以外の部分画像データが結合対象となるものとして説明したが、これに限定されない。例えば画像タイプ情報が「テキスト」である部分画像データが結合対象の部分画像データに含まれても良い。
【０２２７】
以上に説明したように、本実施例では、画像処理装置２００において領域抽出部２１２が別々の領域と認識して抽出された別々の部分画像データを１つの部分画像データとして配信することができる。
【０２２８】
〔実施例６〕
以下の本発明の実施例６について説明する。本発明の実施例６では、部分画像データの機密性に応じてＲＳＳデータの配信を決定することができる。
【０２２９】
実施例１では、セキュリティキーワードに該当するキーワードが部分画像データに含まれるか否かによりＲＳＳデータの配信を決定する例を説明した。本実施例では、部分画像データの画像の機密性に基づき、ＲＳＳデータの配信を設定するか否かを判断する。
【０２３０】
本実施例では、例えば部分画像データに地紋データが含まれていた場合や機密性の高い特定の画像データが含まれる場合等に、ＲＳＳデータの配信を中止することができる。
【０２３１】
以下に、図６に示す文書データ４０の部分画像データＳ１には地紋データが含まれており、部分画像データＳ２には、機密性が高いとされる画像が含まれる場合を例として本実施例について説明する。
【０２３２】
図４６は、部分画像データの機密性の高さを説明する図である。
【０２３３】
本実施例の画像処理装置２００においてメタデータ設定部２１６は、文書データ４０に含まれる部分画像データ毎の部分画像メタデータを設定する際に、部分画像データの機密性の高さを示す情報（以下、セキュリティ情報）も部分画像メタデータに含めて設定する。
【０２３４】
図４６は、セキュリティ情報が含まれた部分画像メタデータの例を示す図である。図４６に示す部分画像メタデータ４５１Ａは、部分画像データＳ１のメタデータである。部分画像メタデータ４５２Ａは部分画像データＳ２のメタデータである。部分画像メタデータ４５３Ａは部分画像データＳ３のメタデータである。部分画像メタデータ４５１Ａ、４５２Ａ、４５３Ａには、対応する部分画像データＳ１、Ｓ２、Ｓ３のセキュリティ情報が含まれている。
【０２３５】
例えば部分画像メタデータ４５１Ａには、部分画像データＳ１の機密性が高いことを示す「セキュリティ情報  高」が含まれる。部分画像メタデータ４５３Ａには、部分画像データＳ２の機密性が中程度であることを示す「セキュリティ情報  中」が含まれる。部分画像メタデータ４５３Ａには、部分画像データＳ３の機密性が低いことを示す「セキュリティ情報  低」が含まれる。
【０２３６】
尚本実施例におけるセキュリティ情報は、領域抽出部２１２により部分画像データとして抽出される際に部分画像データ毎に取得されていても良い。
【０２３７】
本実施例の登録処理部２１０は、例えば画像データとセキュリティ情報とが対応付けられたセキュリティテーブル（図示せず）を有してしても良い。この場合領域抽出部２１２は、部分画像データを抽出した際にセキュリティテーブルを参照し、部分画像データにセキュリティテーブル内の画像データに対応する画像データが存在するか否かを判断する。そして部分画像データに該当する画像データが存在した場合、領域抽出部２１２は、抽出した部分画像データと対応したセキュリティ情報を取得しても良い。取得されたセキュリティ情報は、メタデータ設定部２１６により格納部２１５に登録されても良い。
【０２３８】
例えば領域抽出部２１２により部分画像データＳ１が抽出された際に、部分画像データＳ１に地紋データが含まれており、セキュリティテーブルにおいて地紋データと「セキュリティ情報  高」とが対応付けられていた場合、領域抽出部２１２は、「セキュリティ情報  高」を取得する。取得されたセキュリティ情報は、図４６に示す部分画像メタデータ４５１Ａに含まれるように設定される。
【０２３９】
部分画像データＳ２と部分画像メタデータ４５２Ａ、部分画像データＳ３と部分画像メタデータ４５３Ａについても同様である。
【０２４０】
本実施例のＲＳＳデータ制御部２３３は、例えば「セキュリティ情報  高」である部分画像データのＲＳＳデータは配信しない等の制御を行うことができる。
【０２４１】
また本実施例では、例えば「セキュリティ情報  高」であるＲＳＳデータを送信するためのチャンネルが設定されていても良い。
【０２４２】
図４７は、ＲＳＳデータ配信設定においてセキュリティのチャンネルが追加された設定画面の一例を示す図である。
【０２４３】
図４７に示す設定画面６６ＡにおけるＲＳＳ配信設定の基本設定のチャンネルに対応したリンクボタン６７Ａには、セキュリティのチャンネルを設定するためのリンクボタン６７Ｂが含まれている。
【０２４４】
設定画面６６Ａにおいて、リンクボタン６７Ｂが押下されると、セキュリティ情報に基づくＲＳＳデータの配信のセキュリティ設定画面（図示せず）が表示される。セキュリティ設定画面では、例えば「セキュリティ情報  高」のＲＳＳデータの配信先の設定や、「セキュリティ情報  高」のＲＳＳデータの配信を中止する設定等を行うことができる。
【０２４５】
また設定画面６６Ａでは、機密性の高いデータへのアクセス権限を有するユーザが、画像処理装置２００の設定を行う端末装置を用いてログインした場合にのみ、リンクボタン６７Ｂが表示されても良い。
【０２４６】
以上に説明したように、本実施例によれば、セキュリティ情報に示されるデータの機密性の高さに基づきＲＳＳデータの配信の設定を行うことができる。
【０２４７】
以上、各実施形態に基づき本発明の説明を行ってきたが、上記実施形態に示した要件に本発明が限定されるものではない。これらの点に関しては、本発明の主旨をそこなわない範囲で変更することができ、その応用形態に応じて適切に定めることができる。
【産業上の利用可能性】
【０２４８】
この発明による画像処理装置は、ファクシミリ装置、プリンタ、スキャナ、複写機、複
合機、ＷＥＢサーバーを含む装置においても適用することができる。
【符号の説明】
【０２４９】
１００  画像処理システム
２００  画像処理装置
２１０  登録処理部
２１１  文書入力部
２１２  領域抽出部
２１３  テキスト抽出部
２１４  登録部
２１５  格納部
２２０  検索表示部
２３０  ＲＳＳデータ処理部
２３１  ＲＳＳデータ作成部
２３２  ＲＳＳデータ保管領域部
２３３  ＲＳＳデータ制御部
２３４  セキュリティキーワード保管領域制御部
２４０  Ｈｔｔｐｄ
２５０  アドレス帳記憶部
３００  情報処理装置
３１０  ＲＳＳリーダ
４００  ネットワーク
【先行技術文献】
【特許文献】
【０２５０】
【特許文献１】特開平１１−２５１１３号公報
【特許文献２】特開２００６−２３９４２号公報
【特許文献３】特開２００４−１９２２４８号公報
【図１】
2010124455.tif 000003
【図２】
2010124455.tif 000004
【図３】
2010124455.tif 000005
【図４】
2010124455.tif 000006
【図５】
2010124455.tif 000007
【図６】
2010124455.tif 000008
【図７】
2010124455.tif 000009
【図８】
2010124455.tif 000010
【図９】
2010124455.tif 000011
【図１０】
2010124455.tif 000012
【図１１】
2010124455.tif 000013
【図１２】
2010124455.tif 000014
【図１３】
2010124455.tif 000015
【図１４】
2010124455.tif 000016
【図１５】
2010124455.tif 000017
【図１６】
2010124455.tif 000018
【図１７】
2010124455.tif 000019
【図１８】
2010124455.tif 000020
【図１９】
2010124455.tif 000021
【図２０】
2010124455.tif 000022
【図２１】
2010124455.tif 000023
【図２２】
2010124455.tif 000024
【図２３】
2010124455.tif 000025
【図２４】
2010124455.tif 000026
【図２５】
2010124455.tif 000027
【図２６】
2010124455.tif 000028
【図２７】
2010124455.tif 000029
【図２８】
2010124455.tif 000030
【図２９】
2010124455.tif 000031
【図３０】
2010124455.tif 000032
【図３１】
2010124455.tif 000033
【図３２】
2010124455.tif 000034
【図３３】
2010124455.tif 000035
【図３４】
2010124455.tif 000036
【図３５】
2010124455.tif 000037
【図３６】
2010124455.tif 000038
【図３７】
2010124455.tif 000039
【図３８】
2010124455.tif 000040
【図３９】
2010124455.tif 000041
【図４０】
2010124455.tif 000042
【図４１】
2010124455.tif 000043
【図４２】
2010124455.tif 000044
【図４３】
2010124455.tif 000045
【図４４】
2010124455.tif 000046
【図４５】
2010124455.tif 000047
【図４６】
2010124455.tif 000048
【図４７】
2010124455.tif 000049